(57)【要約】      （修正有）【課題】使用時において出没せしめた芯体と筒体の軸線を一致させ、偏心に起因する軸振れを簡便に防ぐことができる出没式筆記具を提供する。【解決手段】内部に弾性素材の芯体を複数収納した筒体と、選択した一の該芯体を該筒体より出没せしめる機構とを備えた出没式多芯筆記具であって、前記筒体の内周面および該芯体の外周面にそれぞれ凸部を設け、前記芯体凸部が前記筒体凸部に当接することによって該芯体先端側と該筒体の軸線を一致させるように該芯体を弾性変形させることを特徴とする出没式多芯筆記具。【選択図】図２
0003123587.tif 000002
【実用新案登録請求の範囲】
【請求項１】
内部に弾性素材の芯体を複数収納した筒体と、選択した一の該芯体を該筒体より出没せしめる機構とを備えた出没式多芯筆記具であって、前記筒体の内周面および前記芯体の外周面にそれぞれ凸部を設け、前記芯体凸部が前記筒体凸部に当接することによって該芯体先端側と該筒体の軸線を一致させるように該芯体を弾性変形させることを特徴とする出没式多芯筆記具。
【請求項２】
前記筒体凸部の頂部より前記芯体凸部の頂部までの距離が、収納時の該芯体の先端部から使用時の同先端部までの距離と一致するように形成されていることを特徴とする請求項１に記載の出没式多芯筆記具。
【請求項３】
前記筒体凸部が前記筒体の内周面に沿って帯状かつ断面半楕円形状に形成されており、前記芯体凸部が断面半楕円形状に形成されていることを特徴とする請求項１もしくは請求項２のいずれかに記載の出没式多芯筆記具。
【請求項４】
前記芯体凸部の軸方向の長さが３ｍｍないし５ｍｍに形成されていることを特徴とする請求項１ないし請求項３のいずれかに記載の出没式多芯筆記具。
【請求項５】
前記芯体がその後端側に軸回転防止手段を設けたことを特徴とする請求項１ないし請求項４のいずれかに記載の出没式多芯筆記具。
【考案の詳細な説明】
【技術分野】
【０００１】
本考案は、使用時に選択した一の芯体を筒体より出没せしめる機構を有する出没式多芯筆記具であって、更に詳細には、出没せしめた芯体の軸線が筒体の軸線と一致することにより、偏心に起因する軸振れ防止を図る出没式多芯筆記具の構成に関するものである。
【背景技術】
【０００２】
従来の出没式多芯筆記具は、その構成上、芯体を内部に収納する筒体の軸線と、収納時における芯体の軸線とが一致していない。その為、使用時に一の芯体を筒体より出没せしめたときに、弾性素材の芯体が開口部付近で弓状に湾曲し、僅かに斜めになった状態で芯体先端が外部に露出するため、安定性がなく、滑らかな書き心地を得られないものであった。またそのような筆記具を長時間使用すると、疲労が蓄積しやすいなどの問題もあった。
【０００３】
かかる問題を解決するものとして、芯体が外部に露出する開口部付近に芯体を把持するためのチャック部材を配置した多芯筆記具が特許文献１において開示されている。
【０００４】
しかしながら、この多芯筆記具は、部材も多く複雑な構成を有しているため、実施化にあたっては、製造工程も増え、コストが高くなるために、既製品の安価なボールペンなどには採用できるものではなかった。
【特許文献１】特開平９−６６６９６
【考案の開示】
【考案が解決しようとする課題】
【０００５】
そこで本考案は、従来の出没式多芯筆記具のかかる欠点を克服し、その使用時において出没せしめた芯体と筒体の軸線を一致させ、偏心に起因する軸振れを簡便に防ぐことができる出没式筆記具の提供をその課題とするものである。
【課題を解決するための手段】
【０００６】
本考案は、上記課題を解決するものであり、内部に弾性素材の芯体を複数収納した筒体と、選択した一の該芯体を該筒体より出没せしめる機構とを備えた出没式多芯筆記具であって、前記筒体の内周面および前記芯体の外周面にそれぞれ凸部を設け、前記芯体凸部が前記筒体凸部に当接することによって該芯体先端側と該筒体の軸線を一致させるように該芯体を弾性変形させることを特徴とする出没式多芯筆記具である。
【考案の効果】
【０００７】
本考案の出没式多芯筆記具は、筒体の内周面および芯体の外周面にそれぞれ凸部を有しており、使用時に一の芯体を筒体より出没せしめたときに、両凸部が当接することにより該芯体が弾性変形を起こし、よって、芯体が外部に露出する開口部付近において、出没せしめた芯体の軸線が筒体の軸線と一致する。その結果、偏心に起因する軸振れを防ぐことができる。この軸振れ防止の効果により、滑らかで安定した書き心地が得られる。また、かかる突起部は、従来の出没式多芯筆記具の構成等をそのまま利用して形成されているものなので、加工等も容易であり、よって、既製品の安価なボールペンなどへの利用も可能である。
【考案を実施するための最良の形態】
【０００８】
以下、本考案の出没式多芯筆記具の一実施態様を、図面に基づいて具体的に説明する。なお、本考案はこれら実施態様に何ら制約されるものではない。
【０００９】
図１は本考案に係る出没式多芯筆記具を示す断面透視図、図２は本考案に係る出没式多芯筆記具の筆記時の断面透視図で一部拡大したもの、図３は図２のＡ−Ａ断面図、図４は本考案に係る出没式多芯筆記具の第二の態様を示す断面図で一部拡大したもの、図５は同第三の態様を示す断面図で一部拡大したものである。各図中、1は筒体を、２は芯体を、３は筒体凸部を、４は芯体凸部を、５は芯体固定盤を、６はノック部材を、７は筒体先端部を、８は芯体先端部を、３１は筒体凸部頂部を、４１は芯体凸部頂部を、また、ｘは筒体凸部の頂部より前記芯体凸部の頂部までの距離を、ｙは収納時の芯体先端部から使用時の同先端部までの距離をそれぞれ示す。
【００１０】
図１および図３に示すように、本実施態様の出没式多芯筆記具は、筒体１の内部に弾性素材で形成された芯体２を４本収納している。使用者は、かかる芯体２の中から任意に選択した１本の芯体２を筒体１より出没せしめて使用する。芯体２を筒体１より出没せしめるための機構は、いわゆるノック式といわれる公知のものであり、選択した芯体２の後端に結合されたノック部材６を筒体先端方向へ押し下げてやることにより、筒体先端部７より出没させる。芯体２の素材は、一般的に使用されているポリプロピレン等ほか、芯体２を横から押圧したときに適宜に撓む弾性素材のものであれば、特に限定はしない。
【００１１】
芯体２には、その外周面に、筒体１内周面に向けて断面半楕円形状に形成された凸部４が設けられている。さらに、筒体１には、芯体凸部４より下部に位置する内周面に沿って帯状かつ断面半楕円形状に形成された凸部３が設けられている。
【００１２】
芯体凸部４の高さは、収納時の芯体２外周面から対向する筒体１内周面までの距離と一致し、一方、筒体凸部３も、芯体凸部４の高さと同一に形成されている。また、芯体凸部４の軸方向の長さは、筆記体２の弾性変形を妨げない長さに形成するのが好ましく、とりわけ、３〜５ｍｍ程度に形成するのが望ましい。両凸部は、筒体１や芯体２とそれぞれ異なる素材を選択し、筒体１および芯体２を形成後、別途、接着成形しても良いが、それぞれ同一素材を選択し、一体成形により得るほうが製造も容易で、強度の点からも好ましい。
【００１３】
図２により、芯体凸部４と筒体凸部３との位置関係をより詳しく説明すると、芯体凸部４の頂部４１と筒体凸部３の頂部３１との間の距離ｘが、収納時の芯体２の芯体先端１２と使用時の芯体先端１２との間の距離ｙと一致する。また、筒体凸部３そのものの位置に関しては、使用時に芯体２が弾性変形を生じた際、筒体先端１１近傍で芯体２と筒体１の軸線が一致する位置であれば、特に限定はされない。
【００１４】
次にその作用について説明する。使用者は、任意に選択した１本の芯体２を筒体１より出没せしめるため、ノック部材６を筒体先端方向へ押し下げ、芯体２を下方に移動させる。芯体凸部４が筒体凸部３に接する位置まで達すると、芯体凸部４が筒体凸部３を乗り越えて更に下方に移動しようとするので、弾性素材により形成されている芯体２は、図２に示すように、その軸線を筒体１の軸線方向へとスライドさせるように弾性変形を起こす。
【００１５】
芯体凸部４と筒体凸部３との位置関係は上述のとおりなので、芯体２が筒体１から完全に出没して使用可能になった時点で、芯体凸部４の頂部４１と筒体凸部３の頂部３１とが互いに当接し停止する。しかるに、芯体２は芯体凸部４より下位部から筒体先端１１へと、ほぼ、垂直状態に収まるので、その結果、筒体先端１１近傍で芯体２と筒体１の軸線が一致することになる。この時の芯体２の位置関係を横断面図３により説明すると、収納時に実線部分に位置していた芯体２が、筒体１軸線方向へとスライドして破線部分に収まった状態となっている。
【００１６】
図４および、図５は、本考案の出没式多芯筆記具の第二、第三の実施態様である。図４のものは、筒体凸部３と芯体凸部４がそれぞれ断面多角形状に形成されているため、使用時に、それぞれの頂部が面接触し、より安定感を得ることができる。一方、図５のものは、芯体凸部４が断面錨形状に形成されており、芯体凸部４と芯体２外周面との結合面積がより小さくなるため、芯体２の弾性変形がより容易になるという利点を有するものである。
【００１７】
さらに、芯体凸部４は、図３に示すように、頂部４１が垂直に該内周面に接するように形成されているが、仮に芯体２が使用しているうちに軸回転してしまうと、頂部４１と筒体凸部３の頂部３１とが適切に当接しない可能性もある。したがって、かかる軸回転を防ぐために、例えば、ノック部材６と芯体２との結合部において、芯体２の軸回転防止手段を設けてもよい。具体的には、ノック部材６と芯体２のそれぞれの結合部分に、互いに嵌合する凹凸部を形成すればよい。
【図面の簡単な説明】
【００１８】
【図１】本考案に係る出没式筆記具を示す断面透視図。
【図２】本考案に係る出没式筆記具の筆記時の断面透視図で一部拡大したもの。
【図３】図２のＡ−Ａ断面図。
【図４】本考案に係る出没式筆記具の第二の態様を示す断面図で一部拡大したもの。
【図５】本考案に係る出没式筆記具の第三の態様を示す断面図で一部拡大したもの。
【符号の説明】
【００１９】
１  …  …  筒体
２  …  …  芯体
３  …  …  筒体凸部
４  …  …  芯体凸部
５  …  …  筆記体固定盤
６  …  …  ノック部材
７  …  …  筒体先端部
８  …  …  芯体先端部
３１  …  …  筒体凸部頂部
４１  …  …  芯体凸部頂部
ｘ  …  …  筒体凸部の頂部より芯体凸部の頂部までの距離
ｙ  …  …  収納時の芯体先端部から使用時の同先端部までの距離
以    上
【図１】
0003123587.tif 000003
【図２】
0003123587.tif 000004
【図３】
0003123587.tif 000005
【図４】
0003123587.tif 000006
【図５】
0003123587.tif 000007